(57)【要約】【課題】ケース外面の破損を防止することができるケース構造を提供する。【解決手段】ケース本体２１前面６１に、外側へ向けて突出した湾曲面からなる緩衝部１０１を設け、ケース本体２１が前面６１を下向きにして落下した際に緩衝部１０１が先行して床面に当接するように構成する。緩衝部１０１が床面に当接した際に、緩衝部１０１が弾性変形することで、落下時の衝撃を吸収することができる。これにより、ケース本体２１の不用意な割れ等による破損を防止することができる。【選択図】図２
2015104333.tif 000002
【特許請求の範囲】
【請求項１】
ケース本体の一面が平坦面で構成されたケース構造において、
前記一面に、外側へ向けて突出する湾曲状の緩衝部を設けたことを特徴とするケース構造。
【請求項２】
前記緩衝部を湾曲面で構成し、該緩衝部の裏側に開口部を設けたことを特徴とする請求項１記載のケース構造。
【請求項３】
前記開口部を、前記緩衝部と略同形状に設定し、当該開口部を前記緩衝部で隠蔽可能に構成したことを特徴とする請求項２記載のケース構造。
【請求項４】
前記ケース本体は、ファンモータ等の重量物を内蔵することを特徴とした請求項１、２又は３記載のケース構造。
【発明の詳細な説明】
【技術分野】
【０００１】
本発明は、ケース外面の破損を防止するケース構造に関する。
【背景技術】
【０００２】
従来、薬剤を拡散する拡散装置が知られている。
【０００３】
この拡散装置は、直方体形状のケース本体を備えており、該ケース本体の表面は、平坦面で構成されている。この表面には、空気を通流する為の開口部が設けられており、該開口部から外部の空気を取り込んだり、薬剤を含有した空気を放出できるように構成されている。
【発明の概要】
【発明が解決しようとする課題】
【０００４】
しかしながら、このようなケースにあっては、開口部により表面の強度が低下する傾向にある。
【０００５】
このため、例えば使用時に前記表面を下にして拡散装置が落下した際には、前記ケースに割れが生ずる恐れがあった。
【０００６】
本発明は、このような従来の課題に鑑みてなされたものであり、ケース外面の破損を防止することができるケース構造を提供することを目的とするものである。
【課題を解決するための手段】
【０００７】
前記課題を解決するために本発明の請求項１のケース構造にあっては、ケース本体の一面が平坦面で構成されたケース構造において、前記一面に、外側へ向けて突出する湾曲状の緩衝部を設けた。
【０００８】
すなわち、ケース本体の一面には、外側へ向けて突出する湾曲状の緩衝部が設けられている。このため、このケース本体が前記一面を下向きにして落下した際には、前記緩衝部が先行して床面に当接する。
【０００９】
このとき、前記緩衝部は、外側へ向けて突出する湾曲状に形成されている。このため、当該緩衝部が床面に当接した際に、弾性変形することで、落下時の衝撃が吸収される。
【００１０】
また、請求項２のケース構造においては、前記緩衝部を湾曲面で構成し、該緩衝部の裏側に開口部を設けた。
【００１１】
すなわち、前記緩衝部は、湾曲面で構成されており、該緩衝部の裏側には、開口部が設けられている。
【００１２】
このため、該開口部の開口面と前記緩衝部の裏面との間には、空気を通流する為の間隙が形成される。
【００１３】
さらに、請求項３のケース構造では、前記開口部を、前記緩衝部と略同形状に設定し、当該開口部を前記緩衝部で隠蔽可能に構成した。
【００１４】
すなわち、前記開口部は、前記緩衝部と略同形状に設定されており、該緩衝部は、裏側に設けられた前記開口部を隠蔽することができる。
【００１５】
このため、前記一面に前記開口部を設けつつ、当該開口部を介した内部の露出が防止される。
【００１６】
加えて、請求項４のケース構造にあっては、前記ケース本体は、ファンモータ等の重量物を内蔵する。
【００１７】
すなわち、前記ケース本体は、ファンモータ等の重量物を内蔵しており、前記一面を下側にした落下時には、全重量が前記一面に加えられる。
【００１８】
このような場合であっても、前記緩衝部がクッションとして作用することで、前記一面の破損が防止される。
【発明の効果】
【００１９】
以上説明したように本発明の請求項１のケース構造にあっては、ケース本体の一面に外側へ向けて突出する湾曲状の緩衝部が設けられており、このケース本体が前記一面を下向きにして落下した際には、前記緩衝部を先行して床面に当接させることができる。
【００２０】
このとき、前記緩衝部は、外側へ向けて突出する湾曲状に形成されている。このため、該緩衝部が床面に当接した際には、当該緩衝部が弾性変形することで、落下時の衝撃を吸収することができる。
【００２１】
したがって、前記緩衝部を有しない一面が床面に衝突した場合と比較して、当該一面に入力される衝撃を小さくすることができる。これにより、該一面に開口部が設けられ強度が低下したケース本体であっても、不用意な割れ等による破損を防止することができる。
【００２２】
また、請求項２のケース構造においては、前記緩衝部は、湾曲面で構成されており、該緩衝部の裏側には、開口部が設けられている。
【００２３】
このため、該開口部の開口面と前記緩衝部の裏面との間に、空気を通流する為の間隙を形成することができる。これにより、前記ケース本体の内部と外部間での通流経路を確保することができる。
【００２４】
さらに、請求項３のケース構造では、前記開口部を前記緩衝部と略同形状に設定することで、該緩衝部によって、その裏側に設けられた前記開口部を隠蔽することができる。
【００２５】
このため、前記一面に前記開口部を設けつつ、当該開口部を介した内部の露出を防止することができる。これにより、前記ケース本体正面に前記開口部を設けた場合であっても、正面からの内部の覗き見を防止することができ、外観品質を高めることができる。
【００２６】
加えて、請求項４のケース構造にあっては、前記ケース本体はファンモータ等の重量物を内蔵しており、前記一面を下側にした落下時には、その全重量が前記一面に加えられる。
【００２７】
このような場合であっても、前記緩衝部がクッションとして作用することで、前記一面の破損を防止することができる。したがって、ファンモータ等の重量物を内蔵した薬剤拡散装置に利用することができる。
【図面の簡単な説明】
【００２８】
【図１】本発明の一実施の形態を示す正面図である。
【図２】図１のＡ−Ａ線に沿った断面図である。
【図３】同実施の形態を示す平面図である。
【図４】同実施の形態を示す側面図である。
【図５】図４のＢ−Ｂ線に沿った断面図である。
【発明を実施するための形態】
【００２９】
以下、本発明の一実施の形態を図に従って説明する。
【００３０】
図１は、本実施の形態にかかるケース構造を備えた防虫剤拡散装置１を示す図であり、該防虫剤拡散装置１は、ウオークインクローゼット等に設置して使用するものである。
【００３１】
この防虫剤拡散装置１は、図２に示すように、ファンモータ１１、電池などの重量物の外に制御基板や防虫剤含浸体を内蔵しており（一部図示省略）、前記ファンモータ１１でファン１２を回転制御することで、前記防虫剤含浸体に含浸された防虫剤を揮散させ、外部に放出できるように構成されている。
【００３２】
なお、本実施の形態では、前記防虫剤を放出する場合について説明するが、これに限定されるものではなく、芳香剤や消臭剤等の放出に使用しても良い。また、本実施の形態では、前記ケース構造を前記防虫剤拡散装置１に利用した場合について説明するが、これに限定されるものではなく、他の装置に応用しても良い。
【００３３】
前記防虫剤拡散装置１は、図１に示すように、ケース本体２１を備えており、該ケース本体２１は、プラスチックにより角部が丸められた直方体形状に形成されている。該ケース本体２１は、図２に示したように、後部側を構成する容器状の容器体２２と、該容器体２２の前面開口部を閉鎖する蓋体２３とによって形成されている。
【００３４】
前記容器体２２は、図２から図４に示すように、当該ケース本体２１の背面を構成する正方形状の後面３１と、該後面３１の下縁より前方に延出した底面３２と、前記後面３１の上縁より前方へ向けて延出した天面３３と、前記後面３１の左縁より前方へ向けて延出した左側面３４と、前記後面３１の右縁より前方へ向けて延出した右側面３５とによって一体形成されており、当該容器体２２内に前記ファンモータ１１等が収容されている。
【００３５】
前記左側面３４と前記天面３３と前記右側面３５とには、複数の突条４１，・・・が形成されており、各突条４１，・・・の間には、凹溝４２，・・・が形成されている。これにより、前記容器体２２の周面には、凹凸が形成されており、当該容器体２２周面が補強されている。
【００３６】
前記左側面３４及び前記右側面３５には、図２及び図４に示したように、長方形状の排出口５１，５１が二箇所に設けられており、前記防虫剤含浸体から揮散した防虫剤を前記排出口５１，・・・を介して外部へ放出できるように構成されている。各排出口５１，・・・は、スリット状に形成されており、各排出口５１，・・・は、前記左側面３４及び前記右側面３５の前記後面３１寄りに設けられた前記凹溝４２，・・・内に形成されている（図４参照）。これにより、前記排出口５１，・・・は、目立たないように開設されており、外観品質が高められている。
【００３７】
前記蓋体２３は、図１から図４に示したように、前記ケース本体２１の正面を構成する正方形状の前面６１で構成されており、該前面６１の周縁には、後方に延出する周縁部６２が一体形成されている。該周縁部６２は、その先端が前記容器体２２に嵌合するように構成されており、当該蓋体２３は、前記容器体２２の前面開口部を開放可能に閉鎖できるように構成されている。
【００３８】
前記前面６１は、図１に示したように、前記ケース本体２１の一面を形成するように構成されており、当該前面６１は、平坦面で構成されている。この前面６１には、左上角部に小波部７１が設けられており、該小波部７１は、波形状に突出形成された意匠によって構成されている。この小波部７１の下部には、該小波部７１より大きな大波部７２が設けられており、該大波部７２も、波形状に突出形成された意匠によって構成されている。
【００３９】
また、前記前面６１には、図２及び図５に示すように、左下角部から右上角部に渡って波形状の開口部８１が開設されており、該開口部８１を介して外部の空気をケース本体２１内に吸入できるように構成されている。
【００４０】
この開口部８１の外周部には、該開口部８１へ向かうに従って薄肉となる薄肉部９１，９１が前記開口部８１の上縁及び下縁に沿って形成されており、前記開口部８１の上縁に沿って形成された薄肉部９１により、前記開口部８１へ向かうに従って前記ケース本体２１内側へ傾斜した上部傾斜部９２が形成されている。また、前記開口部８１の外周部には、前記開口部８１の下縁に沿って形成された薄肉部９１により、前記開口部８１へ向かうに従って前記ケース本体２１内側に傾斜した下部傾斜部９３が形成されており、前記開口部８１への空気の流入をスムーズに行えるように構成されている。
【００４１】
前記開口部８１の左部に位置する開口縁部と右部に位置する開口縁部との間には、緩衝部１０１が一体形成されており、前記開口部８１の左縁部と右縁部とは、前記緩衝部１０１によって連設されている。該緩衝部１０１は、図３にも示すように、その中央部がケース本体２１の外側へ向けて突出した湾曲状に形成されており、当該緩衝部１０１は、湾曲面で構成されている。
【００４２】
この緩衝部１０１の裏側には、前記開口部８１が設けられており、当該緩衝部１０１は、前記開口部８１と略同形状に形成されている。前記緩衝部１０１は、前記開口部８１と合致する位置に設けられており、図２に示したように、当該ケース本体２１を正面から見た際に、前記緩衝部１０１の下縁の高さ位置１１１に前記下部傾斜部９３の上縁が位置するように構成されている。また、前記緩衝部１０１の上縁の高さ位置１１２に前記上部傾斜部９２の下縁が位置するように構成されており、正面視において前記緩衝部１０１が前記開口部８１を隠蔽するように構成されている。
【００４３】
このとき、前記蓋体２３の前記前面６１と前記緩衝部１０１との間には、間隙１２１が形成されており、前記ファンモータ１１で前記ファン１２を駆動することで、前記ケース本体２１外部の空気を前記間隙１２１及び前記開口部８１を介して内部に吸入するとともに、当該空気に前記防虫剤を混合して前記排出口５１，・・・から排出できるように構成されている。
【００４４】
以上の構成にかかる本実施において、ケース本体２１の一面である前面６１中央部には、外側へ向けて突出する湾曲状の緩衝部１０１が設けられている。このため、このケース本体２１が前記前面６１を下向きにして落下した際には、前記緩衝部１０１を先行して床面に当接させることができる。
【００４５】
このとき、前記緩衝部１０１は、外側へ向けて突出する湾曲状に形成されている。このため、該緩衝部１０１が床面に当接した際には、当該緩衝部１０１が弾性変形することで、落下時の衝撃を吸収することができる。
【００４６】
したがって、前記緩衝部１０１を有しない前面６１が床面に衝突した場合と比較して、当該前面６１に入力される衝撃を小さくすることができる。これにより、該前面６１に開口部８１が設けられ強度が低下したケース本体２１であっても、不用意な割れ等による破損を防止することができる。
【００４７】
また、前記緩衝部１０１は、湾曲面で構成されており、該緩衝部１０１の裏側には、前記開口部８１が設けられている。
【００４８】
このため、該開口部８１の開口面と前記緩衝部１０１の裏面との間に、空気を通流する為の間隙１２１を形成することができる。これにより、前記ケース本体２１の内部と外部間での通流経路を確保することができる。
【００４９】
さらに、前記開口部８１を前記緩衝部１０１と略同形状に設定することで、該緩衝部１０１によって、その裏側に設けられた前記開口部８１を隠蔽することができる。
【００５０】
このため、前記前面６１に前記開口部８１を設けつつ、当該開口部８１を介した内部の露出を防止することができる。これにより、前記ケース本体２１正面に前記開口部８１を設けた場合であっても、正面からの内蔵物の覗き見を防止することができ、外観品質を高めることができる。
【００５１】
そして、前記ケース本体２１は、ファンモータ１１や電池や駆動機構等の重量物を内蔵しており、前記前面６１を下側にした落下時には、その全重量が前記前面６１に加えられる。
【００５２】
このような場合であっても、前記緩衝部１０１がクッションとして作用することで、前記前面６１の破損を防止することができる。したがって、ファンモータ１１等の重量物を内蔵した本実施の形態の防虫剤拡散装置１において、その効果を発揮することができる。
【符号の説明】
【００５３】
１１    ファンモータ
２１    ケース本体
６１    前面
８１    開口部
１０１    緩衝部
【図１】
2015104333.tif 000003
【図２】
2015104333.tif 000004
【図３】
2015104333.tif 000005
【図４】
2015104333.tif 000006
【図５】
2015104333.tif 000007